(57)【特許請求の範囲】
【請求項１】
ロウソクを立てる燭台部と、燭台部に立てたロウソクを中空の空間に格納する筒状のほや部と、筒状のほや部を載せて立てる筒状のほや受け部と、ほや受け部に筒状のほや部を連結し、その連結部において筒状のほや部を回動可能にするヒンジ部とを備え、ほや受け部に載せて立てる筒状のほや部を回動させて倒しまたほや受け部に立てるための、筒状のほや部の中空の空間に格納される燭台部に立てたロウソクが筒状のほや部を通過する隙間を筒状のほや部に設け、筒状のほや部を倒して燭台部に立てたロウソクに火をつけ、筒状のほや部をほや受け部に立てて火をつけたロウソクを筒状のほや部に格納することを特徴とするロウソク立て。
【発明の詳細な説明】
【技術分野】
【０００１】
本発明は、墓石などに設置するロウソク（蝋燭）立てに関する。
【背景技術】
【０００２】
お墓参りでは、線香をあげるため、墓石に設置されたロウソク立て（燭台）にロウソクを立てロウソクに火を灯す。屋外にある墓石の場合、お墓参りのとき風が吹くとロウソクの炎が消えてしまうことがある。
従来、ロウソクの炎が消えないようにするため、防風用のほや（火屋）を設けたロウソク立てが提供されている（例えば、特許文献１）。
【先行技術文献】
【特許文献】
【０００３】
【特許文献１】実開昭５８−５７０２４号
【発明の概要】
【発明が解決しようとする課題】
【０００４】
特許文献１に記載のロウソク立ては、ほや受け部に形成される溝に嵌め込み立てられたほやを、ほや受け部に備えるスプリングを用いて固定し、ほや受け部の上に支持するものである。ほやにロウソクを格納することにより、ロウソクの炎に風が当たることを防止でき、ロウソクの炎が消えないようにすることができる。
【０００５】
特許文献１に記載のロウソク立てにおいて、ほやは、ほや受け部に着脱可能に取り付けることができるものである。ロウソクに火をつける際は、ほやの上部より点火するか、ほやを取り外して点火する。しかし、ロウソクに火をつける度にほやの取り付け取り外しを行うことは不便であった。また、ほやを取り付けたままにすると、ほやが盗まれるおそれがあった。
【０００６】
本発明は、上記問題を解決するものであり、ロウソクに火をつける際にほやの取り付け取り外しが必要ないロウソク立てを提供することを目的とする。
【課題を解決するための手段】
【０００７】
本発明のロウソク立ては、ロウソクを立てる燭台部と、燭台部に立てたロウソクを中空の空間に格納する筒状のほや部と、筒状のほや部を載せて立てる筒状のほや受け部と、ほや受け部に筒状のほや部を連結し、その連結部において筒状のほや部を回動可能にするヒンジ部とを備え、ほや受け部に載せて立てる筒状のほや部を回動させて倒しまたほや受け部に立てるための、筒状のほや部の中空の空間に格納される燭台部に立てたロウソクが筒状のほや部を通過する隙間を筒状のほや部に設け、筒状のほや部を倒して燭台部に立てたロウソクに火をつけ、筒状のほや部をほや受け部に立てて火をつけたロウソクを筒状のほや部に格納するようにしたものである。
【発明の効果】
【０００８】
本発明のロウソク立ては、ほや受け部とほや部のと連結部（継ぎ目）にヒンジ部を設けるとともに、ほや部を可動させてロウソクを格納するときに、ロウソクがほや部を通過する隙間をほや部に形成するものである。ヒンジ部及びほや部の隙間により、ほや部を取り付け取り外しすることなく、ロウソクに火をつけることができ、かつ、ロウソクの炎に風が当たることを防止することができる。
【図面の簡単な説明】
【０００９】
【図１】本発明のロウソク立てのほや部を倒した状態を表わす図である。
【図２】図１のほや部を可動し、ほや受け部にほや部を立てた状態を表わす図である。
【発明を実施するための形態】
【００１０】
本発明のロウソク立ては、ロウソクの炎が消えないようにすることを実現するものである。
【実施例】
【００１１】
本発明のロウソク立てについて、図に基づいて説明する。図１は、本発明のロウソク立てのほや部を倒した状態を表わす図であり、図１（ａ）は正面図、同図（ｂ）は図１（ａ）のＡ−Ａ断面図（中央縦断面図）である。図２は、図１のほや部を可動し、ほや受け部にほや部を立てた状態を表わす図であり、図２（ａ）は正面図、同図（ｂ）は図２（ａ）のＢ−Ｂ断面図（中央縦断面図）である。
本発明のロウソク立て１０は、燭台部１２と、ほや（火屋）部１４と、ほや（火屋）受け部１６と、ヒンジ部１８（蝶番）とを備えるものである。また、ほや部１４には、ロウソク２０が通過する隙間２２が形成されている。
燭台部１２は、ロウソク２０を立てる針１２aと、燭台本体１２ｂと、針１２aを燭台本体１２ｂに固定するネジ部１２ｃから構成される公知の燭台である。
ほや部１４とほや受け部１６は、いずれも筒状のものであり、断面が同じ形状に形成されたものである。図１及び図２において、ほや部１４とほや受け部１６は、いずれも断面が四角形に形成されている。ほや部１４は、ほや受け部１６の上に載せることができ、ほや受け部１６の上にほや部１４を立てられるようになっている（図２）。
図１及び図２において、燭台部１２は、ほや受け部１６の中空の空間に配置され、墓石に固定されているものとする。
【００１２】
ほや部１４は、燭台部１２に立てたロウソク２０を中空の空間１４ａに格納するものである（図２）。ほや部１４により、ロウソク２０の炎２０ａに風が当たることを防ぎ、炎２０ａが消えないようにすることができる。
なお、ほや部１４は、ガラス製のものに限るものではなく、その他の素材で形成されたものでもよい。
【００１３】
ヒンジ部１８は、ほや受け部１６にほや部１４を連結し、その連結部においてほや部１４を回動可能にするものである（図１（ｂ）、図２（ｂ））。
ヒンジ部１８は蝶番であり、２枚の羽１８a，１８ｂ（プレート）と1本のピン１８ｃ（回転軸）で構成されているものである（図１（ｂ）、図２（ｂ））。一の羽１８aは、ほや部１４の外側面に取り付け固定されており、他の羽１８ｂは、ほや受け部１６の外側面に取り付け固定されている（図１（ｂ）、図２（ｂ））。ヒンジ部１８により、ほや部１４をほや受け部１６に立てる（ほや部１４にロウソク２０を格納する）ように、また、ほや部１４を倒すように可動させることができる（図１（ｂ）、図２（ｂ））。すなわち、ほや部１４は、ピン１８ｃ（ヒンジ部１８の回転軸）を軸に回動し、ほや受け部１６にほや部１４を上げることができ、また、ほや受け部１６からほや部１４を下ろすことができるようになっている。
また、ヒンジ部１８は、ほや受け部１６とほや部１４とを連結するものである。ロウソク立て１０において、ほや部１４は、ヒンジ部１８を介して、ほや受け部１６に連結し、ほや受け部１６の上に支持固定されるものである（図２）。
ほや部１４は、ヒンジ部１８を介して、ほや受け部１６と連結していることから、ほや部１４の盗難を防止することができる。
【００１４】
ロウソク立て１０において、ほや部１４には、ほや部１４を可動させてロウソク２０を格納するときに、ロウソク２０がほや部１４を通過する隙間２２が形成されている（図１、図２）。ほや部１４の可動時に（図１（ｂ）、図２（ｂ）に記載の回転方向への可動時に）、ロウソク２０がほや部１４を通過する隙間２２を設けることにより、従来のロウソク立てのように、ほや部１４を取り付け取り外しすることなく、ロウソク２０に火をつけることができ、ほや部１４にロウソク２０を格納することができる。
【００１５】
（ロウソク２０に火をつける場合）
ほや部１４を倒した状態で（図１）、燭台部１２にロウソク２０を立てて、火をつける。
（ロウソク２０の炎２０ａに風が当たらないようにする場合）
ロウソク２０に火をつけた後、ほや部１４をほや受け部１６に立てる（図２）。これにより、ほや部１４の中空の空間１４ａにロウソク２０の炎２０ａを格納することができ、ロウソク２０の炎２０ａに風が当たることを防ぐことができる。
【００１６】
以上のように、本発明のロウソク立て１０は、ヒンジ部１８及びほや部１４の隙間２２により、ほや部１４を取り付け取り外しすることなく、ロウソク２０に火をつけることができる。また、ロウソク２０の炎２０ａに風が当たることを防ぐことができる。
【００１７】
本発明のロウソク立て１０において、ほや部１４にロウソク２０を格納した際に、ほや部１４の隙間２２を閉じる隙間用蓋部２４を設けてもよい（図１，図２）。図１及び図２において、隙間用蓋部２４は、ほや部１４の隙間２２に嵌め込むことができる板状の部材であり、隙間２２を閉じることができるものである。隙間用蓋部２４は、ほや受け部１６に載せられ固定されており、ほや部１４にロウソク２０を格納した際に隙間２２を閉じるようになっている（図２）。本発明のロウソク立て１０は、ほや部１４に隙間２２を形成するものであることから、ほや部１４にロウソク２０を格納した際、隙間２２からほや部１４の中空の空間１４ａに風が入り、ロウソク２０の炎２０ａが消えるおそれがある。隙間用蓋部２４を設けることにより、隙間２２からほや部１４の中空の空間１４ａに風が入いることを防止できる。
【００１８】
図１では、ほや部１４を燭台部１２（又はロウソク２０）の後方に倒すようにロウソク立て１０を設置したがこれに限るものではない。ほや部１４を燭台部１２の前方に倒す、また、ほや部１４を燭台部１２の左側又は右側に倒すようにロウソク立て１０を設置してもよい。
本実施例では、墓石に燭台部１２を固定した場合を例示したが、墓石以外の場所に固定してもよい。また、本発明のロウソク立て１０は、燭台部１２を固定しない卓上型のものであってもよい。
本発明のロウソク立て１０の用途は、お墓参りに限らず、ロウソクを光源とする照明具としても利用可能なものである。
【符号の説明】
【００１９】
１０  ロウソク立て
１２  燭台部
１４  ほや部
１４ａ  中空の空間
１６  ほや受け部
１８  ヒンジ部
２０  ロウソク
２２  隙間
【要約】
【課題】  ロウソクに火をつける際にほやの取り付け取り外しが必要ないロウソク立てを提供する。
【解決手段】  ロウソク立て１０は、ロウソク２０を立てる燭台部１２と、燭台部１２に立てたロウソク２０を中空の空間１４ａに格納する筒状のほや部１４と、ほや部１４を載せる筒状のほや受け部１６と、ほや受け部１６にほや部１４を連結し、その連結部においてほや部１４を可動可能にするヒンジ部１８とを備え、ほや部１４を可動させてロウソク２０を格納するときに、ロウソク２０がほや部１４を通過する隙間２２をほや部１４に形成するものである。これにより、ほや部１４を取り付け取り外しすることなく、ロウソク２０に火をつけることができ、かつ、ロウソク２０の炎２０ａに風が当たることを防ぐことができる。
【選択図】  図１【図１】
0006984077.tif 000002
【図２】
0006984077.tif 000003